(57)【特許請求の範囲】
【請求項１】
硬質平板状定規本体の一端縁を直線状位置決め縁に形成し、当該定規本体の中央適所に、該直線状位置決め縁に平行な所定短さの案内スリットを肉厚方向に貫通すると共に、当該定規本体の直線状位置決め縁に隣接する左右縁に左右把持片を上向き突設した上、当該定規本体の直線状位置決め縁とは反対がわとなる基端からは、所定上下寸法の上下連結部を下向き延伸し、同上下連結部下端から、当該案内スリット下を超え、且つ直線状位置決め縁直下に達しない前後長寸法であって定規本体の左右巾に等しいか、僅かに広いかの何れか一方の左右巾寸法に設定したベース板部を、当該定規本体に平行姿勢とするよう延伸、一体化してなるものとしたことを特徴とするシート裁断用定規。
【請求項２】
硬質平板状定規本体の一端縁を直線状位置決め縁に形成し、当該定規本体の中央適所に、該直線状位置決め縁に平行な所定短さの案内スリットを肉厚方向に貫通すると共に、当該定規本体の直線状位置決め縁に隣接する左右縁に左右把持片を上向き突設した上、当該定規本体の直線状位置決め縁とは反対がわとなる基端からは、所定上下寸法の上下連結部を下向き延伸し、同上下連結部下端から、当該案内スリット下を超え、且つ直線状位置決め縁直下に達しない前後長寸法であって定規本体の左右巾に等しいか、僅かに広いかの何れか一方の左右巾寸法に設定したベース板部を、当該定規本体に平行姿勢とするよう延伸、一体化し、建築物床面に敷設した床面防水シート上面にベース板部下面を接地し、建築物縦壁面に貼着し、床面防水シート上に縦断面Ｌ字状に垂れ下げた縦壁防水シート下端がわを当該ベース板部と定規本体との間に遊嵌状に挟み込み、且つ直線状位置決め縁を縦壁防水シート越しに建築物縦壁面に当接させると共に、裁断工具であるカッター刃を上方から下向きに案内スリットに差し込み、縦壁防水シートに貫通し、ベース板部上面に達しさせた上、カッター刃を案内スリットに固定したまま左右把持片を把持し、直線状位置決め縁を建築物縦壁面に沿って、滑らすように移動し、縦壁防水シート下端を一定のジョイント巾寸法で、床面防水シート上面に重なり合うよう裁断可能なものとしたことを特徴とするシート裁断用定規。
【請求項３】
硬質平板状定規本体の一端縁を防水シート敷設対象の建築物壁面に当接、摺動自在な直線状位置決め縁に形成し、該直線状位置決め縁に直交する方向に防水シート、ジョイント巾寸法となる当該定規本体の中央位置に、該直線状位置決め縁に平行な所定短さの案内スリットを肉厚方向に貫通すると共に、当該定規本体の直線状位置決め縁に隣接する左右全縁に添って立ち上がり対峙壁状の左右把持片を上向き突設した上、当該定規本体の直線状位置決め縁とは反対がわとなる基端からは、対象防水シートの厚みを僅かに上回る上下寸法の上下連結部を下向き延伸し、同上下連結部下端から、当該案内スリット下を超え、且つ直線状位置決め縁直下に達しない前後長寸法であって定規本体の左右巾に等しいか、僅かに広いかの何れか一方の左右巾寸法に設定したベース板部を、当該定規本体に平行姿勢とするよう延伸、一体化してなるものとしたことを特徴とするシート裁断用定規。
【請求項４】
定規本体が、案内スリットよりも直線状位置決め縁がわであって左右把持片を含む先端がわ範囲を低摩擦、耐摩耗性の円滑素材層で被覆してなるものとした、請求項１ないし３何れか一項記載のシート裁断用定規。
【請求項５】
ベース板部が、その少なくとも下面の直線状位置決め縁と同じがわとなる先端がわ範囲を低摩擦、耐摩耗性の円滑素材層で被覆してなるものとした、請求項１ないし４何れか一項記載のシート裁断用定規。
【請求項６】
左右把持片が、定規本体の案内スリットから直線状位置決め縁に達する範囲で、直線状位置決め縁に近づくに従い、左右巾寸法方向の左右外がわに向けて次第に傾斜し、防水シート用の左右誘導翼としてなるものとした、請求項１ないし５何れか一項記載のシート裁断用定規。
【請求項７】
案内スリットが、定規本体の直線状位置決め縁に直交する方向に目盛をなすよう所定間隔を隔てて複数個、平行配列するよう形成してなるものとした、請求項１ないし６何れか一項記載のシート裁断用定規。
【請求項８】
案内スリットが、定規本体の直線状位置決め縁に直交する方向に目盛をなすよう所定間隔を隔てて平行配列した複数個を単位スリット群とし、該単位スリット群の複数を定規本体の左右巾中央および左右把持片に近接する左右端寄りの夫々に、定規本体前後長寸法の前後端寄りとなる合計６箇所に分散配置してなるものとした、請求項１ないし６何れか一項記載のシート裁断用定規。                                                                                            
【発明の詳細な説明】
【技術分野】
【０００１】
この発明は、建築物の防水技術に関連するものであり、特に屋上やバルコニーなどの防水シートを効率的に裁断可能とする防水シート用の裁断用工具類を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                              
【背景技術】
【０００２】
（着目点）
図９の防水シート敷設状態を示した斜視図に表されているように、建築物８の屋上床面８１に防水シートＳ１を敷設するには、一般的に、建築物８屋上の床面８１に接着剤Ｐを塗布し、その上にゴム系、塩化ビニール系などの帯状防水シートＳ１を、それら隣接する防水シートＳ１，Ｓ１の互いに一致する縁部同士を所定巾重ね合わせ、ラップジョイントさせて密閉状態に接着するようにして屋上床面８１全面を防水する工法が採用されてきており、さらに、パラペットの内向き縦壁面８０に貼着した壁面防水シートＳ２下端縁の一定幅を、パラペット縦壁面８０直下となる屋上床面８１上に敷設した防水シートＳ１上面に重ね合わせて接着施工する作業も併用される。
【０００３】
パラペットの内向き縦壁面８０から立ち上がり隅部を経て、屋上床面８１に敷設した防水シートＳ１上面に重なるよう垂れ下げた縦壁面８０の防水シートＳ２の下端縁を、同パラペット縦壁面８０立ち上がり隅部から一定幅に揃えるよう、敷設現場において同パラペット縦壁面８０の基端隅に平行且つ一定幅間隔を隔てて平板状の定規を接地させ、その定規縁にカッターナイフを当て、該縦壁面８０防水シートＳ２の肉厚方向に垂直に切り込み、裁断する施工作業は、厚い防水シートＳ２を裁断するのに大きな力が必要であり、このためカッターの刃が傾いて定規から外れたり、カッターの刃が欠けてしまうなどして裁断巾が漸減または漸増したり、裁断部分が鋸刃状や波状になってしまうなどして見栄えが悪化するばかりでなく、防水シートＳ２の重なり巾が狭すぎ、防水性や耐久性が低下してしまったり、カッターの刃が床面８１上に敷設した防水シートＳ１に達して傷付けたり、間違って裁断した上に、床面８１にまで達して傷付けてしまったりする虞があり、作業効率が悪く、正確な施工作業ができるようになるまで熟練するには相当の経験と期間とを要することとなっていた。
【０００４】
（従来の技術）
（従来の技術）
こうした状況を反映し、その打開策となるような提案も、これまでに散見されない訳ではない。
例えば、下記する特許文献１（１）に提案されているものに代表されるように、カッター刃の刃先を被切断材に突き入れて工具全体を被切断材の面上で走行移動可能な左右対の回転ローラを装備し、カッター刃の受入れスリットと回転ローラの走行ガイドとを板面に有する長尺な直線定規を組に備え、熟練を要さずともカッター刃を垂直姿勢に支持したまま裁断可能としたものや、同特許文献１（２）に見られるような、スライド式カッターの刃本体の突出を防止するためのピンを刃収納部に設け、カッター刃の突出量を一定の切り込み量に規制可能とし、シート厚に一致した切り込みを実現可能としたもの、また、同特許文献１（３）のように、平板状の接地ガイト板、垂直状態の支持板、および、接地ガイド板と支持板とを連結する狭小部とから構成される切断補助体を、カッターナイフの先端部に軸支し、カッターの刃先を接地ガイド板上で受け止め、目標のシートのみを裁断可能としたもの、さらにまた、同特許文献１（４）に見られるように、被切断物を押圧可能なグリップを有し、複数の平行なレール部を有するレール台、および、該レール台のレール部に摺動自在で且つカッターナイフを設けたスライド部とを有し、比較的厚い被裁断物を、上下面に対し直角に正確に切断可能としてなるものなどが散見される。
【０００５】
しかし、前者特許文献１（１）に示されているようなカッター工具類は、防水シートに対するカッター刃の切り込み姿勢を垂直に維持し易いが、左右対の回転ローラに僅かな滑りを生じると、カッター刃の進行方向が左右にカーブしてしまう虞があり、従来同様に定規を用いて直線状の裁断を行うのが望ましいが、左右の回転ローラが定規に緩衝してしまうという欠点を生じるものであり、同特許文献１（２）のスライド式のカッター類は、カッター刃の切り込み量を規制できるが、切り込み姿勢を垂直に維持できないという欠点を残しており、また、同特許文献１（３）のシート用の裁断具のようなものは、カッター刃の切り込み姿勢を防水シートに対して垂直に維持し、且つ、目標の防水シートのみを裁断できるという利点を有するが、直線状の裁断を正確に行うには、平板状の定規が不可欠で裁断中に定規から逸脱し、裁断縁が曲がってしまう虞があるという欠点を残すものであり、また、同特許文献１（４）のように確りとしたレール台を有するカッター装置類は、自動車用の内装ボード素材など比較的短い寸法の裁断に適しているが、建築物屋上で防水シートを数十ｍという長い寸法に渡って裁断する場合には、カッター装置自体が大型で防水シートを裁断しながら、移動するのは大きな労働負担となってしまうという欠点を有するものであった。                                                                                                        
【特許文献１】（１）特開平１０−１５６０６０号公報    （２）特開２００４−５７５３７号公報    （３）特開２００４−３２９４２４号公報    （４）特開２０１０−１３１２８２号公報
【発明の概要】
【発明が解決しようとする課題】
【０００６】
（問題意識）
上述したとおり、従前までに提案のある各種カッター工具類は、何れも平板状の定規類を用いなければ長尺に渡って正確な直線状の裁断が不可能であり、また、レール台を有するものでは、どうしても大型化傾向にあり、運搬や保管だけでなく、建築物屋上での数十ｍにも及ぶ裁断作業中にスライド移動するのが大きな労働負担となるという課題を残すものとなってしまっている状況に対し、この業界で永年に亘って防水工事の実績を重ね、より信頼性および耐久性の高い防水施工技術の実現化を目指し、作業効率と品質の向上とに努めてきている中、それらから得られた様々な知見、およびユーザーからの情報などに基づき、敷設防水シートの防水性能上は勿論のこと、施工工程上からも、その作業効率と施工仕上がりの正確性および外的美感の向上とを実現可能とするための構成につき、更なる改善の必要性を痛感していた。
【０００７】
（発明の目的）
そこで、この発明は、垂直壁から一定幅となる位置に添って、カッターの刃を垂直に切り込み、且つ、ラップジョイント部分上がわの防水シートのみを確実に裁断可能とする上、保管および持ち運び容易な程度に充分に小型・軽量化した新たなシート裁断用の定規技術の開発はできないものかとの判断から、逸速くその開発、研究に着手し、長期に渡る試行錯誤と幾多の試作、実験とを繰り返してきた結果、今回、遂に新規な構造のシート裁断用定規を実現化することに成功したものであり、以下では、図面に示すこの発明を代表する実施例と共に、その構成を詳述することとする。                                                                          
【課題を解決するための手段】
【０００８】
（発明の構成）
図面に示すこの発明を代表する実施例からも明確に理解されるように、この発明のシート裁断用定規は、基本的に次のような構成から成り立っている。
即ち、硬質平板状定規本体の一端縁を直線状位置決め縁に形成し、当該定規本体の中央適所に、該直線状位置決め縁に平行な所定短さの案内スリットを肉厚方向に貫通すると共に、当該定規本体の直線状位置決め縁に隣接する左右縁に左右把持片を上向き突設した上、当該定規本体の直線状位置決め縁とは反対がわとなる基端からは、所定上下寸法の上下連結部を下向き延伸し、同上下連結部下端から、当該案内スリット下を超え、且つ直線状位置決め縁直下に達しない前後長寸法であって定規本体の左右巾に等しいか、僅かに広いかの何れか一方の左右巾寸法に設定したベース板部を、当該定規本体に平行姿勢とするよう延伸、一体化してなるものとした構成を要旨とするシート裁断用定規である。
【０００９】
この基本的な構成からなるシート裁断用定規は、その表現を変えて示すならば、硬質平板状定規本体の一端縁を直線状位置決め縁に形成し、当該定規本体の中央適所に、該直線状位置決め縁に平行な所定短さの案内スリットを肉厚方向に貫通すると共に、当該定規本体の直線状位置決め縁に隣接する左右縁に左右把持片を上向き突設した上、当該定規本体の直線状位置決め縁とは反対がわとなる基端からは、所定上下寸法の上下連結部を下向き延伸し、同上下連結部下端から、当該案内スリット下を超え、且つ直線状位置決め縁直下に達しない前後長寸法であって定規本体の左右巾に等しいか、僅かに広いかの何れか一方の左右巾寸法に設定したベース板部を、当該定規本体に平行姿勢とするよう延伸、一体化し、建築物床面に敷設した床面防水シート上面にベース板部下面を接地し、建築物縦壁面に貼着し、床面防水シート上に縦断面Ｌ字状に垂れ下げた縦壁防水シート下端がわを当該ベース板部と定規本体との間に遊嵌状に挟み込み、且つ直線状位置決め縁を縦壁防水シート越しに建築物縦壁面に当接させると共に、裁断工具であるカッター刃を上方から下向きに案内スリットに差し込み、縦壁防水シートに貫通し、ベース板部上面に達しさせた上、カッター刃を案内スリットに固定したまま左右把持片を把持し、直線状位置決め縁を建築物縦壁面に沿って、滑らすように移動し、縦壁防水シート下端を一定のジョイント巾寸法で、床面防水シート上面に重なり合うよう裁断可能なものとした構成からなるシート裁断用定規となる。
【００１０】
より具体的には、硬質平板状定規本体の一端縁を防水シート敷設対象の建築物壁面に当接、摺動自在な直線状位置決め縁に形成し、該直線状位置決め縁に直交する方向に防水シート、ジョイント巾寸法となる当該定規本体の中央位置に、該直線状位置決め縁に平行な所定短さの案内スリットを肉厚方向に貫通すると共に、当該定規本体の直線状位置決め縁に隣接する左右全縁に添って立ち上がり対峙壁状の左右把持片を上向き突設した上、当該定規本体の直線状位置決め縁とは反対がわとなる基端からは、対象防水シートの厚みを僅かに上回る上下寸法の上下連結部を下向き延伸し、同上下連結部下端から、当該案内スリット下を超え、且つ直線状位置決め縁直下に達しない前後長寸法であって定規本体の左右巾に等しいか、僅かに広いかの何れか一方の左右巾寸法に設定したベース板部を、当該定規本体に平行姿勢とするよう延伸、一体化してなるものとした構成からなるシート裁断用定規と云うことができる。                                                                                                              
【発明の効果】
【００１１】
以上のとおり、この発明のシート裁断用定規によれば、従前までのものとは違い、上記したとおりの固有の特徴ある構成から、何よりも先ず、建築物屋上パラペットなどの縦壁面に貼着して縦断面Ｌ字状に垂れ下げた縦壁防水シート下端がわを、該パラペットなどの縦壁面基端から一定の幅で、同屋上の床面に敷設した防水シート上に重なるよう正確且つ簡単に裁断することができ、熟練を要さずとも簡単に防水シート同士のジョイント巾寸法を一定に確保し、高い防水性能と耐久性とを達成可能とするよう施工することができる上、小型・軽量で運搬および使用が容易であり、収納、保管にもスペースを要しないものとなっていることから、大変作業性に秀れるという効果を発揮するものとなる。
【００１２】
加え、定規本体の直線状位置決め縁がわであって左右把持片を含む先端がわ範囲を、低摩擦、耐摩耗性の円滑素材層で被覆してなるものにあっては、建築物の縦壁面に貼着して垂れ下げた防水シートとの接触摩擦を大幅に低減し、当該シート裁断用定規を一段と円滑に摺動移動操作可能なものとすることができ、また、ベース板部の少なくとも下面の直線状位置決め縁と同じがわとなる先端がわ範囲を、低摩擦、耐摩耗性の円滑素材層で被覆してなるものでは、建築物の縦壁面に貼着して垂れ下げた防水シートの下端がわ、および同建築物床面上に貼着した防水シート上面との接触摩擦を大幅に低減し、当該シート裁断用定規を一段と円滑に摺動移動操作可能なものとして各防水シートを保護する上、シート裁断用定規それ自体の耐摩耗性を格段に高めたものとすることができる。
【００１３】
左右把持片の案内スリット位置付近から直線状位置決め縁に達する範囲を、直線状位置決め縁に近づくに従い、左右巾寸法方向の左右外がわに向けて次第に傾斜した左右誘導翼としてなるものでは、ベース板部と定規本体との上下間の防水シートの誘導性を格段に円滑なものとし、当該シート裁断用定規を素早く摺動移動させながら裁断する場合にも、防水シートに引っ掛かったり、傷付けてしまったりするのを、より確実に防止できるものとなる。
【００１４】
案内スリットが、定規本体の直線状位置決め縁に直交する方向に目盛をなすよう所定間隔を隔てて複数個、平行配列するよう形成してなるものは、複数個の案内スリットの中から任意に選択しカッター刃を差し込んで裁断作業をするだけで、防水シート同士のジョイント巾寸法を自由に設定できるものとなり、ジョイント巾寸法毎に定規を準備し、複数個の定規を持ち運ぶ必要を一切無くし、１個のシート裁断用定規で複数種類のジョイント巾寸法での裁断作業を、極めて簡単に実現化できるものになるという秀れた特徴を発揮することができる。
【００１５】
そして、案内スリットが、定規本体の直線状位置決め縁に直交する方向に目盛をなすよう所定間隔を隔てて平行配列した複数個を単位スリット群とし、該単位スリット群の複数を定規本体の左右巾中央および左右把持片に近接する左右端寄りの夫々に、定規本体前後長寸法の前後端寄りとなる合計６箇所に分散配置してなるものは、建築物屋上のパラペット縦壁面同士が交叉する隅部分に対応した防水シート端部付近などでも簡単且つ正確に裁断することができる上、作業姿勢に応じて裁断し易い位置の案内スリットを自由に選択できることとなって操作性を格段に高め、裁断作業の効率を大幅に高めるようにすることができるという効果が期待できるものとなる。                                                
【発明を実施するための最良の形態】
【００１６】
上記したとおりの構成からなるこの発明の実施に際し、その最良もしくは望ましい形態について説明を加えることにする。
定規本体は、直線状位置決め縁および案内スリットを一体に形成し、それらと上下連結部ならびにベース板部を所定の配置関係に固定するよう一体化可能とする機能を担い、硬質平板状のものとし、その一端縁を直線状位置決め縁に形成し、当該定規本体の中央適所に、該直線状位置決め縁に平行な案内スリットを肉厚方向に貫通すると共に、当該定規本体の直線状位置決め縁に隣接する左右縁に左右把持片を上向き突設した上、当該定規本体の直線状位置決め縁とは反対がわとなる基端からは、上下連結部を下向き延伸してなるものとしなければならず、耐久強度や使い勝手などを考慮すると、後述する実施例に示すように、硬質且つ軽量な軽金属製のものとするのが望ましい。
【００１７】
定規本体の直線状位置決め縁は、建築物縦壁面に当接した場合に、案内スリットが、当該建築物縦壁面から一定の距離に位置するよう規制可能とする機能を担い、１個または複数個の案内スリットの夫々と一定の距離を維持しつつ平行に形成したものとしなければならず、後述する実施例に示すように、低摩擦、耐摩耗性の円滑素材層で被覆してなるものとするのが望ましいと云える。
【００１８】
案内スリットは、上方から下向きに差し込んだカッター刃（裁断工具）を、直線状位置決め縁に対して一定の距離に位置規制可能とし、ベース板部上面に配した裁断対象の防水シートに切り込み、裁断可能とする機能を担い、定規本体の中央適所に、該直線状位置決め縁に平行、且つ所定短さで肉厚方向に貫通したものとしなければならず、後述する実施例に示すように、定規本体の直線状位置決め縁に直交する方向に目盛をなすよう所定間隔を隔てて複数個、平行配列するよう形成してなるものとすることができる外、定規本体の直線状位置決め縁に、直交する方向に目盛をなすよう所定間隔を隔てて平行配列した複数個を単位スリット群とし、該単位スリット群の複数を、定規本体の左右巾中央および左右把持片に近接する左右端寄りの夫々に、定規本体前後長寸法の前後端寄りとなる合計６箇所に分散配置してなるものとすることが可能である。
【００１９】
左右把持片は、シート裁断用定規の運搬や防水シートの裁断作業に使用する場合などに、定規本体を安全且つ確実に把持可能とする機能を担い、定規本体中央適所に配した案内スリットに、裁断工具であるカッター刃などを差し込んで裁断作業し易いよう、定規本体の直線状位置決め縁に隣接する左右縁に上向き突設したものとすべきであり、後述する実施例に示すように、直線状位置決め縁を含む先端がわ範囲を低摩擦、耐摩耗性の円滑素材層で被覆してなるものとするのとするのが望ましく、定規本体の案内スリットから直線状位置決め縁に達する範囲で、直線状位置決め縁に近づくに従い、左右巾寸法方向の左右外がわに向けて次第に傾斜し、防水シート用の左右誘導翼としてなるようにしたものとすることができる。
【００２０】
上下連結部は、定規本体に対し、ベース板部を所定の配置関係に固定するよう一体化可能とする機能を担っており、定規本体の直線状位置決め縁とは反対がわとなる基端から所定上下寸法に下向きに延伸してなるものとしなければならず、後述する実施例に示すように、裁断対象防水シートの厚みを僅かに上回る上下寸法に設定したものとしなければならない。
【００２１】
ベース板部は、案内スリットに上方から下向きに差し込んだカッター刃などの裁断工具類が、裁断対象防水シートの厚み方向に貫通した場合、裁断工具類の刃先を受け止め、同ベース板部より下層配置の防水シートや建築物表面などを保護可能とする機能を担い、カッター刃などの裁断工具の刃先が強く接しても、貫通しない程度に充分な強度を有するものとしなければならず、後述する実施例にも示してあるように、上下連結部下端から当該案内スリット下を超え、且つ直線状位置決め縁直下に達しない前後長寸法であって、定規本体の左右巾に等しいか、僅かに広いかの何れか一方の左右巾寸法に設定したものとするのが望ましく、少なくとも下面の直線状位置決め縁と同じがわとなる先端がわ範囲を低摩擦、耐摩耗性の円滑素材層で被覆してなるものとすべきである。
【００２２】
円滑素材層は、裁断対象の防水シートに対して低摩擦で接触可能で、防水シートに対してシート裁断用定規を円滑に摺動可能とする機能を担うものであり、低摩擦の塗装層、低摩擦合成樹脂皮膜、フェルトなどといった各種繊維製皮膜や不織布皮膜、織物製皮膜、皮革製皮膜、その他の低摩擦素材製の皮膜など、様々な素材製のものとすることが可能である。
以下では、図面に示すこの発明を代表する実施例と共に、その構造について詳述することとする。                                                                                                          
【図面の簡単な説明】
【００２３】
図面は、この発明のシート裁断用定規の技術的思想を具現化した代表的な幾つかの実施例を示すものである。
【図１】使用状態のシート裁断用定規を示す平面図である。
【図２】使用状態のシート裁断用定規を示す側面図である。
【図３】使用状態のシート裁断用定規を示す底面図である。
【図４】シート裁断用定規を示す正面図である。
【図５】シート裁断用定規を示す背面図である。
【図６】使用状態のシート裁断用定規を示す斜視図である。
【図７】合計６個の単位スリット群を有するシート裁断用定規を示す平面図である。
【図８】使用状態のシート裁断用定規を示す側面図である。
【図９】防水シート敷設状態を示す斜視図である。
【符号の説明】
【００２４】
１      シート裁断用定規
２      定規本体
２０    同  直線状位置決め縁（一端縁）
２１    同  基端
２２    同  左右縁
３      案内スリット
３０    同  単位スリット群
３１    同  単位スリット群
４      左右把持片
４０    同  左右誘導翼
４１    同  左右誘導補助翼
５      上下連結部
６      ベース板部
６０    同  先端がわ範囲
７      円滑素材層
８      建築物
８０    同  縦壁面（パラペット内側壁面）
８１    同  床面（屋上床面）
Ｋ      カッター刃
Ｐ      接着剤
Ｓ１      屋上床面の防水シート
Ｓ２      縦壁面の防水シート
ＡないしＥ      ジョイント巾寸法
ＦないしＩ      ジョイント巾寸法                                                                                              
【実施例１】
【００２５】
図１の使用状態にあるシート裁断用定規の平面図、図２の使用状態にあるシート裁断用定規の側面図、図３の使用状態にあるシート裁断用定規の底面図、図４のシート裁断用定規の正面図、図５のシート裁断用定規の背面図、図６の使用状態にあるシート裁断用定規の斜視図、図７の合計６個の単位スリット群を有するシート裁断用定規の平面図、図８の使用状態にあるシート裁断用定規の側面図、および、図９の防水シート敷設状態の斜視図に示す事例は、定規本体２の一端縁を直線状位置決め縁２０とし、定規本体２中央適所肉厚方向に案内スリット３，３，……を貫通すると共に、左右縁２２，２２に左右把持片４，４を突設した上、基端からは、所定上下寸法の上下連結部５を延伸し、同上下連結部５下端からベース板部６を定規本体２に平行姿勢とするよう延伸、一体化してなるものとした、この発明のシート裁断用定規１における代表的な一実施例を示すものである。
【００２６】
それら各図からも明確に把握できるとおり、この発明のシート裁断用定規１は、アルミニウム合金製またはステンレス鋼製の硬質平板状定規本体２の一端縁を直線状位置決め縁２０に形成し、該直線状位置決め縁２０から防水シートＳ２ジョイント巾寸法ＡないしＥとなる５ｍｍ置き毎の５箇所夫々に、該直線状位置決め縁２０に平行な、１０ｍｍの短さの案内スリット３，３，……を肉厚方向に貫通し、該定規本体２左右間中央一端２０寄り配置の単位スリット群３０を形成し、且つ、同様の案内スリット３，３，……（ジョイント巾寸法ＦないしＩとなる５ｍｍ置き毎の４箇所）からなる単位スリット群３１を該定規本体２左右間中央基端２１寄りの配置とするよう形成すると共に、当該定規本体２の直線状位置決め縁２０に隣接する左右全縁２２，２２に添って立ち上がり対峙壁状の左右把持片４，４を上向き突設し、各左右把持片４，４の定規本体２の一端２０寄り配置の単位スリット群３０（案内スリット３，３，……）から直線状位置決め縁２０に達する範囲で、直線状位置決め縁２０に近づくに従い、左右巾寸法方向の左右外がわに向けて次第に傾斜する姿勢とした防水シート用左右誘導翼４０，４０を形成した上、当該定規本体２の直線状位置決め縁２０とは反対がわとなる基端２１からは、対象防水シートＳ２の厚み（例えば２ｍｍ）を僅かに上回る上下寸法（３ないし４ｍｍ）の上下連結部５を下向き延伸し、同上下連結部５下端から、単位スリット群３０，３１（案内スリット３，３，……）下を超え、且つ直線状位置決め縁２０直下に達しない前後長寸法であって定規本体２の左右巾よりも僅かに広い左右巾寸法に設定したベース板部６を、当該定規本体２に平行姿勢とするよう延伸、一体化してなるものとしてある。
【００２７】
加えて、左右把持片４，４の定規本体２基端２１寄りの各端部にも、基端２１に向かうに従い、左右巾寸法方向の左右外がわに向けて次第に傾斜する姿勢とした左右誘導補助翼４１，４１を形成し、さらに、定規本体２が、単位スリット群３０（案内スリット３，３，……）下よりも直線状位置決め縁２０がわであって左右把持片４，４を含む先端がわ範囲を、低摩擦、耐摩耗性としたフェルト製の円滑素材層７で被覆してなるものとなし、また、ベース板部６が、その少なくとも下面の直線状位置決め縁２０と同じがわとなる先端がわ範囲を、低摩擦、耐摩耗性としたフェルト製の円滑素材層７で被覆してある。
【００２８】
そして、図７および図８に示すように、夫々の案内スリット３，３，……が３個ずつに減らされた単位スリット群３０，３１の複数を、定規本体２の左右巾中央および左右把持片４，４に近接する左右端寄りの合計６箇所に分散配置してなるものとすることができる。
【００２９】
（実施例１の作用・効果）
以上のとおりの構成からなるこの発明のシート裁断用定規１は、図１ないし図３、および図６に示してあるように、小型・軽量で保管や持ち運びが容易で、建築物８の屋上に防水シートＳ１，Ｓ２を貼着する場合には、建築物８パラペット内側の縦壁面８０に貼着した防水シートＳ２の下端がわを、同屋上床面８１に貼着した防水シートＳ１上に縦断面Ｌ字状に垂れ下げた上、該縦壁８０防水シートＳ２の水平方向何れか一方端の下端を当該シート裁断用定規１ベース板部６と定規本体２との間に遊嵌状に挟み込み、且つ直線状位置決め縁２０を防水シートＳ２越しにパラペット内側縦壁面８０に当接させると共に、単位スリット群３０，３１の何れか選択した１つの案内スリット３に、裁断工具であるカッター刃Ｋを上方から下向きに差し込み、防水シートＳ２の厚み方向に貫通し、ベース板部６上面に達しさせた上、カッター刃Ｋを案内スリット３に固定したまま左右把持片４，４を把持し、直線状位置決め縁２０をパラペット内側縦壁面８０に沿って水平方向何れか一方端がわから他方端がわに滑らすように移動し、縦壁８０の防水シートＳ２下端を、一定のジョイント巾寸法（例えば図１中の寸法Ｂ）であって床面８１の防水シートＳ１上面に重なり合うよう裁断し、床面８１防水シートＳ１端部上に縦壁８０防水シートＳ２下端を重ね合わせ、接着剤で密閉状に接着するものである。
【００３０】
（結  び）
叙述の如く、この発明のシート裁断用定規は、その新規な構成によって所期の目的を遍く達成可能とするものであり、しかも製造も容易で、従前からの防水シート裁断用の定規類に比較して大幅に耐久強度を高め、軽量且つ低廉化して遥かに経済的なものとすることができる上、熟練を要さずとも裁断作業の正確性および作業効率を大幅に改善し得るものとなることから、従前までであれば、正確な仕上がりを得るために必ず熟練者を担当させなければならなかったものが、初心者であっても正確且つ簡単に裁断作業を進めることができるようになり、施工作業の効率を大幅に高めることができることとなって、熟練作業者の不足を補い、品質の高い施工を実施したいと考える防水業界およびビルメンテナンス業界は固よりのこと、より低廉且つ安全で美感に秀れた防水工事を希望する施工主やそこに生活する住民からも高く評価され、広範に渡って利用、普及していくものになることが予想される。                                                                        
【図１】
0005211288.tif 000002
【図２】
0005211288.tif 000003
【図３】
0005211288.tif 000004
【図４】
0005211288.tif 000005
【図５】
0005211288.tif 000006
【図６】
0005211288.tif 000007
【図７】
0005211288.tif 000008
【図８】
0005211288.tif 000009
【図９】
0005211288.tif 000010